(57)【特許請求の範囲】
【請求項１】
濾過膜モジュールの少なくとも一方の端面に、その端部外周部に設けられたネジ溝と螺合し得る袋ナットにより管付きキャップが取り付けられており、該キャップの管は、両端において接続長さの調節が可能な継手の一端に嵌挿圧接されており、該継手の他端には濾過装置のヘッダの枝管が嵌挿圧接されていることを特徴とする、濾過装置と濾過膜モジュールの接続構造。
【請求項２】
上下に水平に配管されたヘッダの間に、起立した濾過膜モジュールが取り付けられた濾過装置であって、濾過膜モジュールの上部端面に、その端部外周部に設けられたネジ溝と螺合し得る袋ナットにより管付きキャップが取り付けられており、該キャップの管は、両端において接続長さの調節が可能な継手の一端に嵌挿圧接されており、該継手の他端には濾過装置の上部ヘッダの枝管が嵌挿圧接されていることを特徴とする、濾過装置と濾過膜モジュールの接続構造。
【請求項３】
下部ヘッダの枝管開口部に設けられた鍔部と、鍔部上面にその下部端面が当接して置かれた濾過膜モジュールの下端外周部とが、前記ヘッダと枝管の鍔部との間に嵌挿されかつ前記濾過膜モジュールのケースの下端外周部に形成されたネジ溝と螺合締着しうる袋ナットを用いて、締め付け固定されていることを特徴とする請求項２記載の濾過膜モジュールの接続構造。
【請求項４】
濾過膜モジュール下端部と、該モジュール端面に当接する接続部品が、濾過膜モジュールのケースの下端外周部に形成されたネジ溝と螺合締着しうる袋ナットにより固定され、かつ該接続部品の他端部に設けられた鍔部と、下部ヘッダの枝管開口部に設けられた鍔部とが、パッキンを介してバンドにより抱き合わせて固定されていることを特徴とする請求項２記載の濾過膜モジュールの接続構造。
【請求項５】
濾過膜モジュール下端部と、該モジュール端面に当接する接続部品が、濾過膜モジュールのケースの下端外周部に形成されたネジ溝と螺合締着しうる袋ナットにより固定され、かつ該接続部品の他端部を構成する管が、継手部材を介して下部ヘッダの枝管に接続されていることを特徴とする請求項２記載の濾過膜モジュールの接続構造。
【請求項６】
濾過膜モジュール下部端面に袋ナットを用いて取り付けられた管付きキャップの管と、下部ヘッダの枝管端部とがゴムリングを介して連結され、かつその外周が２つ割のハウジングにより囲繞され、該ハウジングの接合部分でボルト締めされて固定された請求項２記載の濾過膜モジュールの接続構造。
【請求項７】
起立した濾過膜モジュールの上下の接続構造が同一である請求項２記載の濾過膜モジュールの接続構造。
【請求項８】
前記濾過膜モジュールは、濾過膜が内部に接着固定されたモジュールケースからなる請求項１記載の濾過膜モジュールの接続構造。
【発明の詳細な説明】
技術分野
本発明は、濾過装置と濾過膜モジュールとの接続構造に関するものである。さらに詳しくは、濾過装置のヘッダに濾過膜モジュールを取り付ける際の接続構造に関するものである。
背景技術
精密濾過膜、限外濾過膜等を用いて、大量の河川水、湖沼水、地下水、海水、下水の二次処理水、工程排水等を原水として濾過処理し、除濁する場合は、複数本の濾過膜モジュールが用いられる。コンパクトな水処理システムとするために、通常、濾過膜モジュールは濾過装置のヘッダと称する主配管に複数並列に接続して配置される。特に、中空糸状膜を収納した長い筒状の濾過膜モジュールの場合は、濾過装置の上下のヘッダ間に、複数本のモジュールが起立して並列に配置され、使用される。そのため、特に濾過装置の上部ヘッダに濾過膜モジュールを精度良く取り付ける高所作業においては、多大の労力が必要であった。
従来の濾過膜モジュールの接続構造の例を図７を用いて説明する。図７は、濾過装置の上下ヘッダ２、３および４の間に、起立した状態で並列に配置している複数の濾過膜モジュールのうちの一本の接続構造を分解して示した正面図である。下部ヘッダ２から分岐した枝管２ａ、上部ヘッダ３および４から分岐した枝管３ａおよび４ａに、後述する各接続部材を介して、濾過膜モジュール１の３つの開口部がそれぞれ接続される。
従来の典型的な濾過膜モジュールは、濾過膜（図示せず）と、濾過膜を収納・固定したケース１ａと、その両末端に固定された袋ナット５、および相フランジ５２から構成されている。相フランジ５２は、それぞれ、ケース１ａの端部外周部に形成されたネジ溝に螺合締着する袋ナット５により固定されている。
そして、下部ヘッダ２の枝管２ａと、起立した濾過膜モジュール１の下部開口部との接続構造は、濾過膜モジュール１の重量を受けて支持するために枝管２ａの上端部に設けられた相フランジ５１と、濾過膜モジュール１のケース１ａの端部に固定された相フランジ５２の間にＯリング５３を介在させ、該相フランジ５１、５２をＶバンド５４により抱き合わせて接続する構造となっている。
一方、濾過装置の上部ヘッダ３の枝管３ａと濾過膜モジュール１の上部開口部との接続構造は、濾過膜モジュール１のケース１ａの上端部に固定された相フランジ５２と、該相フランジ５２に対応する相フランジ部材５５がＯリング５３を介してＶバンド５４により抱き合わせて接続され、さらに、相フランジ部材５５に設けられた管５５ａと上部ヘッダ３から分岐して垂下した枝管３ａとが、継手部材により接続される構造となっている。
また、濾過膜モジュール１の上部ヘッダ３とほぼ並行して配置されたヘッダ４の枝管４ａと該濾過膜モジュール１の上端部側面に形成された第３の開口部との接続構造は、ケース１ａの端部側面に設けられた通路１ｂの外周端部に形成されたネジ溝に螺合締着する袋ナット６により、平パッキン７を介して他端がフレキシブルチューブ５６に接続したエルボ８に接続し、さらに、エルボ８が枝管４ａとユニオン５７により接続する構造となっている。なお、エルボ８とフレキシブルチューブ５６とは、エルボ８の外周端部に形成されたネジ溝に螺合締着した袋ナット５８により接続される。
このような従来例では、濾過膜モジュール１を各ヘッダに取り付けるための部品点数が多いため、各接続部の接続作業が面倒であるばかりでなく、組み付け作業に手間がかかるという問題があった。また、各部品間の接続個所の液漏れがないようにするためには、高い組み付け精度が要求される。さらに、組み付け工数および部品コストが増大してコストアップとなるという問題もあった。
発明の開示
本発明の目的は、接続のための部品点数が少なく、接続部分の構成がシンプルで、液漏れのない接続構造を提供するものである。また、接続に当たり、組み付け工数が少なく、取り付け作業が容易で、かつ取り付け信頼性の高い接続構造を提供するものである。さらにこの発明によれば、コンパクトな水処理システムを構成することが可能である。
この発明は、濾過膜モジュールの少なくとも一方の端面に、その端部外周部に設けられたネジ溝と螺合し得る袋ナットにより管付きキャップが取付られており、該キャップの管は、両端において接続長さの調節が可能な継手の一端に嵌挿圧接されており、該継手の他端には濾過装置のヘッダの枝管が嵌挿圧接されていることを特徴とする濾過装置と濾過膜モジュールとの接続構造に関する。
発明を実施するための最良の形態
本発明にかかる濾過膜モジュールの接続構造は、例えば、河川水、湖沼水、地下水、海水、下水の二次処理水、工程排水等の原液を循環しながら濾過を行うクロスフロー型の精密濾過装置あるいは限外濾過装置において、中空糸状の濾過膜をケース内に収納した濾過膜モジュールを、ヘッダと称する主配管に枝管を介して並列に接続して取り付ける際の取付構造に適用可能なものである。また、原液を循環しないデッドエンド型濾過装置のヘッダに中空糸膜モジュールを取り付ける構造としても有用である。
中空糸膜モジュールを用いた濾過方法としては、中空糸膜の外側から内側に濾過する外圧濾過法と内側から外側に濾過する内圧濾過法があり、この発明の濾過膜モジュールの接続構造は、外圧、内圧両方の濾過方法に適用可能である。
例えば、外圧濾過法で濾過装置を運転する場合は、通常、濾過膜モジュールは、濾過装置の上下に水平方向に配管された濾液排出管と原液供給管の主配管（ヘッダ）の間に、複数本、等間隔で起立して取り付けられる。モジュール取り付けのため、上部ヘッダには、下向き垂直方向に分岐した枝管が複数設けられ、下部ヘッダには、上部ヘッダの枝管に対応する位置に、上向き垂直方向に分岐・起立した枝管が複数設けられている。この上下の枝管の間に、濾過膜モジュールが取り付けられる。
ヘッダへの取り付け作業が容易で、しかも確実な接続を実現するために、この発明では、まず濾過膜モジュールを従来とは異なる形状に改良した。この発明に使用される濾過膜モジュールは、本質的に、濾過膜、および濾過膜を内部に接着・固定したモジュールケースからなり、従来用いられていた前記濾過膜モジュールのように、モジュール端部に相フランジや袋ナットを有していない。この発明に使用される濾過膜モジュールの端部は、ケースの両末端外周部にネジ溝が設けられただけのシンプルな外形を有する。
この濾過膜モジュール用いた、本発明の接続構造の特徴は、該モジュールの少なくとも一方の端部を、該モジュールの端部外周部に設けられたネジ溝と螺合し得る袋ナット、管付きキャップ、および両端において接続長さの調節が可能な継手を接続部材として用いてヘッダに取り付けた点にある。
上下のヘッダに濾過膜モジュールを起立させて接続する場合、上部ヘッダに取り付けるための接続構造は、必ず上記したとおりの、濾過膜モジュールの上端面に、その端部外周部に設けられたネジ溝と螺合し得る袋ナットにより管付きキャップが取付られており、該キャップの管は、両端において接続長さの調節が可能な継手の一端に嵌挿圧接されており、該継手の他端には濾過装置の上部ヘッダの枝管が嵌挿圧接された構造が良い。
ヘッダにモジュールを取り付ける接続構造には、いくつかの態様がある。
一つは、上下の接続構造が異なる場合であり、この場合、下部は以下のような接続構造を取り得る。
第１は、下部ヘッダの枝管開口部に設けられた鍔部と、鍔部上面にその下部端面が当接して置かれた濾過膜モジュールの下端外周部とが、前記ヘッダと枝管の鍔部との間に嵌挿されかつ前記濾過膜モジュールのケースの下端外周部に形成されたネジ溝と螺合締着しうる袋ナットを用いて、締め付け固定されていることを特徴とする構造。
また、濾過膜モジュール下端部と、該モジュール下端面に当接する接続部品が、濾過膜モジュールのケースの下端外周部に形成されたネジ溝と螺合締着しうる袋ナットにより固定され、かつ該接続部品の他端部に設けられた鍔部と、下部ヘッダの枝管開口部に設けられた鍔部とが、パッキンを介してバンドにより抱き合わせて固定されていることを特徴とする構造。
また、下部接続構造の構成が、濾過膜モジュール下端部と、該モジュール下端面に当接する接続部品が、濾過膜モジュールのケースの下端外周部に形成されたネジ溝と螺合締着しうる袋ナットにより固定され、かつ該接続部品の他端部を構成する管が、継手部材を介して下部ヘッダの枝管に接続されていることを特徴とする構造。
さらにまた、濾過膜モジュール下部端面に袋ナットを用いて取り付けられた管付きキャップの管と、下部ヘッダの枝管端部とがゴムリングを介して連結され、かつその外周が２つ割のハウジングにより囲繞され、該ハウジングの接合部分でボルト締めされて固定された接続構造。
次に、濾過装置と濾過膜モジュールの上下の接続構造が同一の場合がある。すなわち、上部ヘッダへの接続構造が、濾過膜モジュールの上部端面に、その端部外周部に設けられたネジ溝と螺合し得る袋ナットにより管付きキャップが取付られており、該キャップの管が、接続長さの調節が可能な継手の一端に嵌挿圧接され、該継手の他端が濾過装置のヘッダの枝管に嵌挿圧接されて接続された構造であり、下部ヘッダへの接続構造が、濾過膜モジュールの下部端面に、その端部外周部に設けられたネジ溝と螺合し得る袋ナットにより管付きキャップが取付られており、該キャップの管が、接続長さの調節が可能な継手の一端に嵌挿圧接され、該継手の他端が濾過装置のヘッダの枝管に嵌挿圧接されて接続された構造、である。
以下、図面を用いて本発明に関する濾過膜モジュールの接続構造の実施態様例を具体的に説明する。
図１は、本発明の接続構造の一実施形態を分解して示した正面図である。
図１において、濾過膜として中空糸状膜をケース１ａ内に収納してなる濾過膜モジュール１は、詳しくは後述する各接続部材により、該濾過膜モジュール１の下部に水平方向に配置された原液を供給するための原液供給ヘッダ２から分岐して起立した原液枝管２ａと、該濾過膜モジュール１の上部に水平方向に配置された濾液を排出する濾液排出ヘッダ３から分岐して垂下した濾液枝管３ａと、該濾過膜モジュール１の上部に濾液排出ヘッダ３にほぼ並行して水平に配置された原液戻りヘッダ４から分岐して垂下した原液戻り枝管４ａとにそれぞれ接続されて、各ヘッダ２、３および４に連通している。
図１に示す例において、まず下部の接続構造を説明する。原液供給ヘッダ２の枝管２ａには、開口部に鍔部２ｂが設けられている。そして、ヘッダ２と鍔部２ｂとの間の枝管２ａの外周には、該枝管２ａの軸方向に移動自在に袋ナット５が嵌挿されている。袋ナット５としては、接続する膜モジュール１のケース１ａの下端外周部に形成されたネジ溝１ｄと螺合締着し得るものが採用される。
接続部の構成は、ヘッダの枝管２ａの鍔部２ｂ上に、濾過膜モジュール１の下部端面１ｃがＯリング等のパッキン１４を介して当接され、該鍔部２ｂとモジュールの下端が前記袋ナット５により締め付け固定された構造となる。
上記構成によれば、図７に示した従来例と比較して取付構造が簡単で、かつ濾過膜モジュール１を安定して支持できる。
次に、濾過膜モジュール１の上部を濾液排出ヘッダ３の濾液枝管３ａに取り付けるための接続構造を説明する。接続部材として、濾過膜モジュール１のケース１ａの上部外周部に形成されたネジ溝と螺合締着し得る袋ナット９ａと、管９ｂが付いたキャップ９と、両端において接続長さの調節が可能な継手Ａが用いられる。
接続部の構成は、まず濾過膜モジュール１の上端面にＯリング等のパッキン１５を介して管付きキャップ９が当接され、袋ナット９ａにより管９ｂが外部に突出するように締め付け固定される。そして、該キャップ９に設けられた管９ｂと、と、濾液排出ヘッダ３から分岐して垂下した濾液枝管３ａとの外周部が、それぞれ図２に示す継手部材Ａに嵌挿圧接して接続された構造となる。
前記継手部材Ａは図２に示すように、両端部にネジ溝１０ａ、１０ｂが形成された筒状本体１０と、パッキン１１およびパッキンカバー１２を介して前記ネジ溝１０ａ、１０ｂに螺合締着しうる袋ナット１３ａ、１３ｂから構成されている。
継手部材Ａを用いて接続するには、図２に示す組み付け配置順序でパッキン１１およびパッキンカバー１２を介在させて袋ナット１３ａ、１３ｂを筒状本体１０のネジ溝１０ａ、１０ｂに軽く螺合して一体化した継手部材Ａに、一方へ濾液枝管３ａ、他方へ管９ｂを嵌入した状態で濾過膜モジュール１の上部と濾液排出ヘッダ３の濾液枝管３ａとの位置合わせを行い、その後、袋ナット１３ａ、１３ｂをネジ溝１０ａ、１０ｂに螺合締着する。この時、パッキンカバー１２がパッキン１１を内径方向に押圧するので、該パッキン１１が濾液枝管３ａおよび管９ｂの外周面に圧接して、液密性を保持した接続固定ができる。
上記構成によれば、上部ヘッダに濾過膜モジュール１の上端部を取り付けるという高所における作業を、容易に行うことができる。また、接続長さを容易に調節できるので、確実な接続が可能である。
なお、濾過膜モジュール１のケース１ａの端部に、一体成形または溶接等の方法により、ケースと一体的に管付きキャップを形成できれば、濾過膜モジュール１の端部キャップ部の管と、濾液排出ヘッダ３から分岐して垂下した濾液枝管３ａとを、前記継手部材Ａにより接続するだけで取り付けることができる。
次に、濾過膜モジュール１の上部に濾液排出ヘッダ３とほぼ並行して配置された原液戻りヘッダ４と、該濾過膜モジュール１の端部側面に形成された第３の開口部との間の接続例を説明する。濾過膜モジュール１のケース１ａの端部側面には、濾過されなかった原液を原液タンクまたは原液ラインに戻すための通路１ｂが設けられている。この通路１ｂと、原液戻りヘッダ４は、袋ナット６、エルボ８、および両端において接続長さの調節が可能な継手部材Ａを用いて接続される。
接続部の構成は、まずケース１ａの端部側面に設けられた通路１ｂとエルボ８とが、通路１ｂの端部外周に形成されたネジ溝に螺合締着する袋ナット６により平パッキン７を介して接続される。次に、エルボ８と原液戻り枝管４ａとが、継手部材Ａを介して接続される。エルボ８としては、起立した端部が、継手部材Ａに嵌挿圧接し得る管形状のものが使用される。継手部材Ａは、前記したのと同様の構造のものが用いられる。
なお、前記原液戻り枝管４ａとエルボ８との接続部は上記例に限定されないが、取付の容易性、確実性の点から上記構造が好ましい。
図１の構成を有する濾過装置において、図示しない原液タンクからポンプにより供給された原液は、原液供給ヘッダ２を流通して原液枝管２ａから濾過膜モジュール１内に流入する。そして原液はモジュール１に収納された中空糸状膜の外側から内側に濾過され、濾液は排出ヘッダ３に導かれて図示しない濾液タンクに貯蔵される。
一方、原液枝管２ａから濾過膜モジュール１に供給された原液の一部は、循環戻り原液として濾過膜モジュール１の中空糸状膜の外側を流通して、通路１ｂからエルボ８を通り、原液戻り枝管４ａを経て原液戻りヘッダ４に導かれ、図示しない原液タンクに戻るようになっている。
次に、図３を用いて本発明にかかる濾過膜モジュールの接続構造の第２実施形態について説明する。図３は、起立した濾過膜モジュール１の下部の接続構造を分解して示した正面図である。
図３において、原液供給ヘッダ２から分岐して起立した枝管２ａは、開口部に鍔部２ｂを有する。一方、これに接続する濾過膜モジュールの下端面１ｃには、下端部に鍔部２２ａを有する接続部品２２の上面がＯリング等のパッキン１４を介して当接され、袋ナット５により固定されている。袋ナット５としては、モジュールケース１ａの下部外周部に形成されたネジ溝１ｄに螺合締着し得るものが使用される。
そして、接続部の構成は、原液枝管２ａの鍔部２ｂ上に、濾過膜モジュール１の下端部に固定した接続部品２２の鍔部２２ａがＯリング等のパッキン１４を介して当接され、Ｖバンド２１により該両鍔部２２ａ、２ｂが抱き合わせて接続された構造となる。
なお、濾過膜モジュール１の上部の接続構造は、前記第１の実施形態と同様である。
次に図４を用いて本発明にかかる濾過膜モジュールの接続構造の第３実施形態について説明する。図４は、起立した濾過膜モジュール１の下部の接続構造を分解して示した正面図である。
図４において、原液供給ヘッダ２から分岐して起立した枝管２ａは、開口部に継手部材３１を有する。継手部材３１は、図２に示す継手部材Ａの上半分を構成するパッキン１１、パッキンカバー１２および袋ナット１３ａを有しており、前述した継手部材Ａの筒状本体１０が原液枝管２ａにより構成された構造のものである。
一方、これに接続する濾過膜モジュールの下端面１ｃには、下端部が管を形成する接続部品３２の上面がＯリング等のパッキン１４を介して当接され、袋ナット５により固定されている。袋ナット５としては、モジュールケース１ａの下部外周部に形成されたネジ溝１ｄに螺合締着し得るものが使用される。また、接続部品３２としては、下端部が枝管の先端に設けられた継手部材３１に挿入し得る管状となったものが使用される。
そして、接続部の構成は、濾過膜モジュール１の下端に袋ナット５により固定された接続部品の管３２ａが、枝管２ａの端部に設けられた継手部材３１に嵌挿圧接した構造となる。
なお、濾過膜モジュール１の上部の接続構造は、前記第１の実施形態と同様である。
次に、図５を用いて本発明にかかる濾過膜モジュールの取付構造の第４実施形態について説明する。図５は、起立した濾過膜モジュール１の下部の接続構造を分解して示した正面図である。
図５に示した例は、濾過膜モジュール１の下部を原液供給ヘッダ２の原液枝管２ａに取り付けるための接続構造が、前述した各実施形態において該濾過膜モジュール１の上部を濾液排出ヘッダ３の濾液枝管３ａに取り付けるための接続部の構成と同一の場合である。
すなわち、接続部材として、濾過膜モジュール１のケース１ａの下部外周部に形成されたネジ溝と螺合締着しうる袋ナット９ａと、管９ｂを有するキャップ９と、両端において接続長さの調節が可能な継手Ａが用いられる。
接続部の構成は、まず濾過膜モジュール１の下端面にＯリング等のパッキンを介して管付きキャップ９を当接し、袋ナット９ａにより管９ｂが外部に突出するように締め付ける。そして、該キャップ９に設けられた管９ｂと、原液供給ヘッダ２から分岐して起立した原液枝管２ａとの外周部を、それぞれ図２に示す継手部材Ａに嵌挿圧接することにより、濾過膜モジュール１の下端を原液枝管２ａに取り付ける。
次に、本発明にかかる濾過膜モジュールの接続構造の第５実施形態について説明する。
図６は、濾過膜モジュール下端部を下部ヘッダの枝管端部に接続するのに用いられる継手部材Ｂの構成を示す斜視図である。
継手部材Ｂは図６に示すように、ゴムリング１６と、２つ割のハウジング１７ａ、１７ｂから構成されている。ハウジング１７ａ、１７ｂの内周にはゴムリングの外周と同寸法の溝が設けられ、それぞれの割口外周側にはボルト締めできる接合部が設けられている。
継手部材Ｂを用いて濾過膜モジュール１の下端部と下部ヘッダの枝管２ａを接続するには、まず濾過膜モジュールの下部端面に管を取り付ける。モジュールの端面に管を取り付ける方法は、前記した第１実施態様で述べたような管付きキャップ９を袋ナット９ａを用いて固定する方法でも、また、第３実施態様で述べたような管を有する接続部品３２を袋ナット５で固定する方法でも良い。
次に、濾過膜モジュール端面に固定した管とヘッダの枝管を、継手部材Ｂのゴムリングに突き合わせるように挿入したのち、ゴムリングの周囲をハウジングの溝に嵌め込み、２つのハウジングをボルト締めして固定する。
したがって、接続部の構成は、濾過膜モジュールの下部端面に固定された管とヘッダの枝管が、ゴムリングを介して連結され、かつその外周が２つ割のハウジングにより囲繞され、該ハウジングの接合部分でボルト締めされて固定された接続構造となる。
なお、濾過膜モジュール１の上部の接続構造は、前記第１の実施形態と同様である。
以上説明したこの発明の接続構造において、接続部材として、管付きキャップ９または管を有する接続部品３２と、ＡまたはＢの継手部材を用いて濾過膜モジュール１をヘッダの枝管に取り付ける場合は、接続する管同士の外径は等しいほうが好ましい。
また、この発明の接続構造は、上記したように、縦長の中空糸膜モジュールを起立させて取り付ける場合に有用である。本発明の接続構造であれば、長さ１ｍ以上の大型中空糸膜モジュールを多数本並列に起立させて取り付ける場合でも作業性が良く、しかも信頼性の高い接続を実現できる。
本発明に用いられるパッキンは、Ｏリングやガスケット等である。バンドは適用するパッキンに合わせて選ばれ、Ｖバンドやクランプバンド等が用いられる。
この発明に用いられるモジュールケースや接続部材の材質は特に限定されないが、例えば、ポリスルホン樹脂、ポリ塩化ビニル樹脂、ポリフェニルエーテル樹脂、アクリロニトリル−ブタジエン−スチレン共重合体樹脂、アクリロニトリル−スチレン共重合体樹脂、ポリフェニレンサルファイド樹脂、ポリアミド樹脂、ポリメチルメタクリレート樹脂、ポリカーボネート樹脂、ポリエーテルエーテルケトン樹脂、ポリフッ化ビニリデン樹脂、ポリエチレン樹脂、ポリプロピレン樹脂等、及び、それらに強度を向上するためのガラスファイバーやカーボンファイバーを充填した樹脂、ステンレススチール、鋳鉄、アルミ等の金属材料、及び、ガラス、アルミナ等のセラミックスが用いられる。
図１に示した継手Ａは、その筒状本体１０が透明な材質であると、濾過膜モジュールを濾過装置に取り付けたままで、該モジュールのリークを検知できるので好ましい。透明な材質としては、ポリスルホン樹脂、ポリメチルメタクリレート樹脂、ポリカーボネート樹脂、ポリ塩化ビニル樹脂およびガラス等が用いられる。
産業上の利用の可能性
本発明によれば、接続のための部品点数が少なく、接続部分の構成がシンプルで、液漏れのない接続構造が得られる。また、接続に当たり、組み付け工数が少なく、取り付け作業が容易で、かつ取り付け信頼性の高い接続構造が得られる。
さらに、この発明によれば、コンパクトな水処理システムを構成することが可能である。
【図面の簡単な説明】
図１は、本発明に関する濾過膜モジュールの接続構造の第１実施形態を分解して示す正面図である。
図２は、継手部材の構成を分解して示す正面図である。
図３は、本発明に関する濾過膜モジュールの下部の接続構造の第２実施形態を分解して示す正面図である。
図４は、本発明に関する濾過膜モジュールの下部の接続構造の第３実施形態を分解して示す正面図である。
図５は、本発明に関する濾過膜モジュールの下部の接続構造の第４実施形態を分解して示す正面図である。
図６は、別の継手部材の構成を示す斜視図である。
図７は、従来例の接続構造を分解して示す正面図である。
【図１】
0003797875.tif 000002
【図２】
0003797875.tif 000003
【図３】
0003797875.tif 000004
【図４】
0003797875.tif 000005
【図５】
0003797875.tif 000006
【図６】
0003797875.tif 000007
【図７】
0003797875.tif 000008